(57)【要約】【課題】本発明は、妻側（前側）及び側方いずれの方向からも、モニターパネルを正面から操作できるようにするとともに、防振構造を備えるモニター装置を提案する。【解決手段】コンテナ１０に搭載され、コンテナ室内を冷却するコンテナ用冷凍装置１１において、コンテナ室内の温度確認及び温度設定等を行なうモニター装置６０が配されるモニター装置室に、平面視において回動する回動機構７０を備え、該回動機構７０にモニター装置６０を取付けるとともに、前記回動機構７０のモニター装置室との枢結部、そして、前記モニター装置６０の回動機構７０との取付部に、弾性体を挟装した。【選択図】　　　　図９
2004003706.tif 000002
【特許請求の範囲】
【請求項１】
コンテナに搭載され、コンテナ室内を冷却するコンテナ用冷凍装置において、冷凍装置の温度設定や表示等を行なうモニター装置を冷凍装置の筐体内に配されるモニター装置室の上下に、平面視において回動する回動機構を備え、該回動機構にモニター装置を取付けた、ことを特徴とするコンテナ用冷凍装置。
【請求項２】
前記回動機構において、モニター装置室と枢結部に、弾性体を挟装した、ことを特徴とする請求項１に記載のコンテナ用冷凍装置。
【請求項３】
前記モニター装置において、回動機構との取付部に、弾性体を挟装した、ことを特徴とする請求項１又は請求項２に記載のコンテナ用冷凍装置。
【請求項４】
前記回動機構は、モニター装置を所定の向きに向かせる位置で回動を規制する規制手段を備える、ことを特徴とする請求項１乃至請求項３のいずれかに記載のコンテナ用冷凍装置。
【請求項５】
前記規制手段は、規制位置でのモニター装置の向きを維持するロック機構を備える、ことを特徴とする請求項４に記載のコンテナ用冷凍装置。
【発明の詳細な説明】
【０００１】
【発明の属する技術分野】
本発明は、コンテナに着脱自在に搭載される冷凍装置の構成に関し、より詳しくは、該冷凍装置に備えるモニター装置に関する。
【０００２】
【従来の技術】
従来、冷凍コンテナを貨物車両等に搭載した場合、後側は扉として、前側（以下妻側とする）に冷凍装置を配置するようにしている。該冷凍コンテナの妻側に冷凍装置を着脱自在に搭載することで、室内温度を所定温度に維持し、また、該冷凍装置にはコンテナ室内の温度確認及び温度設定、エンジン発電機の発停の時間設定等を行なうためのモニター装置が備えられている。
このモニター装置は、そのモニターパネルを妻側に向けて配置し、モニター装置室に固設されており、妻側からのみ確認・設定操作が行なえるようになっている。
【０００３】
【発明が解決しようとする課題】
しかし、図１０（ａ）に示すごとく、貨物車両に縦列して載せらた状態における隣接する冷凍コンテナ１００・１００同士の間隔Ｌ１は、実際には１５０ｍｍ程度の狭い間隔となっている。
このため、貨物車両に載せた状態では、確認・設定操作が行いにくく、設定ミスといった不具合も生じていた。
このことから、モニター装置１６０のモニターパネルを側方に向けて備える構成も検討されるが、図１０（ｂ）に示すごとく、定地保管における横並びの設置状態においては、側方の間隔Ｌ２が狭くならざるを得ないことから、上記と同様の結果となる。
【０００４】
加えて、従来では、モニター装置の防振対策は講じられておらず、輸送時等において生じる振動・衝撃が直接モニター装置に伝わってしまい、内部機器の損傷といった不具合も生じていた。
【０００５】
そこで、本発明では、妻側（前側）及び側方いずれの方向からも、モニターパネルを正面から操作できるようにするとともに、防振構造を備えるモニター装置を提案する。
【０００６】
【課題を解決するための手段】
本発明の解決しようとする課題は以上のごとくであり、次に該課題を解決する為の手段を説明する。
即ち、請求項１に記載のごとく、コンテナに搭載され、コンテナ室内を冷却するコンテナ用冷凍装置において、冷凍装置の温度設定や表示等を行なうモニター装置を冷凍装置の筐体内に配されるモニター装置室の上下に、平面視において回動する回動機構を備え、該回動機構にモニター装置を取付けたことである。
【０００７】
また、請求項２に記載のごとく、前記回動機構において、モニター装置室と枢結部に、弾性体を挟装したことである。
【０００８】
また、請求項３に記載のごとく、前記モニター装置において、回動機構との取付部に、弾性体を挟装したことである。
【０００９】
また、請求項４に記載のごとく、前記回動機構は、モニター装置を所定の向きに向かせる位置で回動を規制する規制手段を備えることである。
【００１０】
また、請求項５に記載のごとく、前記規制手段は、規制位置でのモニター装置の向きを維持するロック機構を備えることである。
【００１１】
【発明の実施の形態】
次に、本発明の実施の形態を、図面に基づいて説明する。
図１は本発明の冷凍装置を備えたコンテナを示す正面図、図２は同じく各種カバーを取外した状態を示す正面図、図３は冷凍装置のフレーム外枠の構成及びコンテナを示す斜視図、図４は冷凍装置における冷気の流れを示す斜視図、図５は冷凍装置の左側面図、図６はモニター装置を配するモニター装置室の左側面図、図７は同じく正面図、図８は同じく底面図、図９は前方又は側方よりモニター装置が操作可能である構成を示すコンテナの平面図、図１０の（ａ）は、従来のコンテナ用冷凍装置におけるモニター装置の配置構成を示す図、（ｂ）は、定置保管をした場合のモニター装置の配置構成を示す図である。
【００１２】
図１に示すごとく、冷凍装置１１は、直方体のコンテナ１０の前面となる妻側に嵌挿されるものであり、図２に示すごとく、冷凍装置１１の筐体内部は複数の室に区切られており、これら各室に装置類が配設されている。
そして、図２に示すごとくの妻側から望む正面視において、該冷凍装置１１の下部右側はエンジン室６１、下部中央はマフラー室６２、下部左側はタンク室６５で構成されている。
【００１３】
また、これら下部に配される各室の上であって、冷凍装置１１の上下略中央右側からは、上下に配設されるモニター装置室５４と冷却ファン室６４、そして、制御ボックス室６６、コンデンサ室６３の順に構成されている。
【００１４】
そして、これら各室は、冷凍装置１１の前側（コンテナ１０の室外側、以下同じ）に向けて開口されており、図１に示すごとく、メンテナンス時以外には、エンジン室開閉扉１８、タンク・マフラー室カバー１５、冷却ファン室前側カバー１７、モニター装置室前側開閉蓋４９ａ、制御ボックス室カバー１３、そしてコンプレッサー室カバー１９により、前側の開口が閉じられた構成となっている。
【００１５】
さらに、図２に示すごとく、冷凍装置１１の上部には、エバポレーター室６７が構成されて、エバポレーターファン２・２・・・とエバポレーター４と導風ガイド板２３等が配置されている。そして該エバポレーター室６７は、冷凍装置１１の後側（コンテナ１０の室内側、以下同じ）に向けて開口されており、その反対側となる前側は、図１に示すごとく、メンテナンス時以外には、エバポレーター室カバー１２により閉じられている。
【００１６】
また、図３に示すごとく、これら各室を構成する冷凍装置１１のフレーム外枠は、天板３５、左右側板３７・３９、底面板３８、後面板４０、エバポレーター室カバー１２により外観を構成し、コンテナ１０の妻側に着脱自在に搭載されるユニットとして一体的に構成されているものである。
【００１７】
そして、図４に示すごとく、冷凍装置１１のコンテナ１０室内側においては、エバポレーターファン２・２・・・により取り込んだ室内空気をエバポレーター４にて冷却して冷気として、導風ガイド板２３及びバルクヘッド５８により形成された冷気通路８２を通して、コンテナ１０の凹凸床１４より吹きだすことにより、コンテナ１０室内を冷却するようにしている。
【００１８】
以上が本発明の冷凍装置１１の全体構成であり、以下、モニター装置室５４について説明する。
該モニター装置室５４は、図１に示すごとく、コンテナ１０の妻側となる前側が前開口４９により開放されるとともに、図５に示すごとく、左側が左側板３７に形成した左開口５０により開放されている。これら両前開口４９・５０には、それぞれモニター装置室前側開閉蓋４９ａ・モニター装置室左側開閉蓋５０ｂの一側が枢結されており、また、両前開口４９・５０の上下位置を同一としている。
そして、モニター装置室５４の室内には、図６乃至図８に示すごとく、回動機構７０にて平面視（図９）及び底面視（図８）において回動可能とするモニター装置６０が配されており、該モニター装置６０のモニターパネル６８（図６）は、正面又は左側に向いた状態で、前記前開口４９又は左開口５０より操作可能としている。
【００１９】
また、この回動機構７０は、図７に示すごとく、モニター装置室５４の上壁５４ａ及び下壁５４ｂに対し、それぞれ弾性体である防振ゴム７７ａ・７７ｂを挟装して回動座上７８ａ・回動座下７８ｂの平面視左右中心の後側端部が鉛直方向の枢支軸に枢結されるとともに、これら回動座上７８ａ・回動座下７８ｂの平面視左右中心の前側端部において、モニター装置６０の上下板左右中心をそれぞれ弾性体である防振ゴム７９ａ・７９ｂを挟装して取付けている。
また、モニター装置６０の後方であって、回動座上７８ａ・回動座下７８ｂに側板７８ｃ・７８ｃを横架し、これら回動座上７８ａ・回動座下７８ｂ、側板７８ｃ・７８ｃによって枠体を構成して剛性を高めるとともに、防振ゴム７９ａ・７９ｂを介して回動座上７８ａ・回動座下７８ｂに枢結されるモニター装置６０の後面を、側板７８ｃ・７８ｃに当接させるようにして、モニター装置６０の回動座上７８ａ・回動座下７８ｂに対する回動を規制している。
このように、回動座上７８ａ・回動座下７８ｂ、側板７８ｃ・７８ｃにより枠体に構成した回動機構７０は、図９に示すごとく、平面視において回動自在として、該回動機構７０の前側に配するモニター装置６０を前側・右側へ向かせるように回動自在とするので、その前面に構成されたモニターパネル６８を前記前開口４９・５０のいずれかの位置となるように自由に動かすことができるようになる。
これにより、前開口４９・５０のいずれにおいても、即ち、コンテナ１０の妻側及び左側のいずれの方向からもモニターパネル６８を操作できるようになる。
【００２０】
さらに、上記回動機構７０において、モニター装置室５４との枢結部に、防振ゴム７７ａ・７７ｂが挟装されていることから、モニター装置室５４の上下壁５４ａ・５４ｂからの回動機構７０への振動は、防振ゴム７７ａ・７７ｂにより吸収され、また、前記モニター装置６０においては、回動機構７０との取付部に、防振ゴム７９ａ・７９ｂが挟装されていることから、回動機構７０からモニター装置６０への振動は、防振ゴム７９ａ・７９ｂにより吸収されるため、モニター装置６０への振動が吸収され、モニター装置６０内の電装部品や結線部の破損、更には、接続不良といった不具合の発生を防止することができる。尚、弾性体には、防振ゴム７７ａ・７７ｂ・７９ａ・７９ｂの変わりに弾性樹脂を用いてもよく、また、弾性バネを挟装する構成としてもよい。
【００２１】
また、図８に示すごとく、前記回動機構７０において、回動座下７８ｂの下面には、係止部２４ａ・２４ｂが左右二箇所に固設される一方、モニター装置室５４の下壁５４ｂ上には、回動規制ストッパ２５ａ・２５ｂが、それぞれ前記前開口４９側、左開口５０側の９０度回転した位置に固設することにより、モニター装置６０を所定の向きに向かせる位置で回動を規制する規制手段が備えられている。
これにより、前記モニター装置６０を前側に回動させた際には、係止部２４ａは、回動規制ストッパ２５ａに当接し、モニターパネル６８を前側に向かせる位置で回動が規制される一方、モニター装置６０を左側に回動させた際には、係止部２４ｂは、回動規制ストッパ２５ｂに当接し、モニターパネル６８を左側に向かせる位置で回動が規制される。
このようにして、モニター装置６０は、前開口４９・左開口５０の位置で回動が規制され、モニターパネル６８が外側（反コンテナ室内側）、即ち、前開口４９・左開口５０に向くようにすることにより、前開口４９・左開口５０から容易にモニターパネル６８を操作することができるようになっている。
【００２２】
さらに、図６に示すごとく、規制位置でのモニター装置の向きを維持するロック機構を備えるものであり、該ロック機構は、前記係止部２４ａ・２４ｂにおける、回動規制ストッパ２５ａ・２５ｂに当接する側に、磁石２６ａ・２６ｂを取付け、前開口４９・左開口５０の位置において、該磁石２６ａ・２６ｂの磁力により、モニター装置６０を固定するように構成されているものである。
これにより、クレーン等による積み下ろし時において、コンテナ１０が傾くようなことがあっても、モニター装置６０は、前開口４９・左開口５０の位置において固定されるため、不必要な回動によるモニター装置６０内部装置の損傷を防止することができる。また、輸送時においてもモニター装置６０が揺れ動くことがなく、内部の機器の損傷を防ぐことができる。尚、前記磁石２６ａ・２６ｂは、ストッパ２５ａ・２５ｂ側に取付ける構成としてもよく、本実施例の形態に限定されるものではない。
また、磁石２６ａ・２６ｂの磁力による固定としているため、係止部２４ａ・２４ｂが回動規制ストッパ２５ａ・２５ｂに当接した際にはロックされ、一方、モニター装置６０に磁力よりも大きな力を加えることで、ロックを解除することができ、回動操作の操作性も良好となっている。
【００２３】
【発明の効果】
本発明は以上のごとく構成したので、次のような効果を奏するのである。即ち、請求項１に記載のごとく、コンテナに搭載され、コンテナ室内を冷却するコンテナ用冷凍装置において、冷凍装置の温度設定や表示等を行なうモニター装置を冷凍装置の筐体内に配されるモニター装置室の上下に、平面視において回動する回動機構を備え、該回動機構にモニター装置を取付けたので、コンテナの複数の方向からモニターパネルを操作できるようになる
【００２４】
また、請求項２に記載のごとく、前記回動機構において、モニター装置室と枢結部に、弾性体を挟装したので、モニター装置への振動が吸収され、モニター装置内の電装部品や結線部の破損、更には、接続不良といった不具合の発生を防止することができる。
【００２５】
また、請求項３に記載のごとく、前記モニター装置において、回動機構との取付部に、弾性体を挟装したので、モニター装置への振動が吸収され、モニター装置内の電装部品や結線部の破損、更には、接続不良といった不具合の発生を防止することができる。
【００２６】
また、請求項４に記載のごとく、前記回動機構は、モニター装置を所定の向きに向かせる位置で回動を規制する規制手段を備えるので、モニター装置は、所定の位置で回動が規制され、モニター装置のモニターパネルを外側（反コンテナ室内側）へ向かせるようにして、操作を容易に行なうことができる。
【００２７】
また、請求項５に記載のごとく、前記規制手段は、規制位置でのモニター装置の向きを維持するロック機構を備えるので、クレーン等による積み下ろし時において、コンテナが傾くようなことがあっても、モニター装置の向きが維持されるので、不必要な回動によるモニター装置内部装置の損傷を防止することができる。また、輸送時においてもモニター装置が揺れ動くことがなく、内部の機器の損傷が防がれる。
【図面の簡単な説明】
【図１】本発明の冷凍装置を備えたコンテナを示す正面図である。
【図２】同じく各種カバーを取外した状態を示す正面図である。
【図３】冷凍装置のフレーム外枠の構成及びコンテナを示す斜視図である。
【図４】冷凍装置における冷気の流れを示す斜視図である。
【図５】冷凍装置の左側面図である。
【図６】モニター装置を配するモニター装置室の左側面図である。
【図７】同じく正面図である。
【図８】同じく底面図である。
【図９】前方又は側方よりモニター装置が操作可能である構成を示すコンテナの平面図である。
【図１０】（ａ）は、従来のコンテナ用冷凍装置におけるモニター装置の配置構成を示す図、（ｂ）は、定置保管をした場合のモニター装置の配置構成を示す図である。
【符号の説明】
１０　　コンテナ
１１　　コンテナ用冷凍装置
６０　　モニター装置
７０　　回動機構
【図１】
2004003706.tif 000003
【図２】
2004003706.tif 000004
【図３】
2004003706.tif 000005
【図４】
2004003706.tif 000006
【図５】
2004003706.tif 000007
【図６】
2004003706.tif 000008
【図７】
2004003706.tif 000009
【図８】
2004003706.tif 000010
【図９】
2004003706.tif 000011
【図１０】
2004003706.tif 000012